(57)【特許請求の範囲】
【請求項１】
高周波信号を重畳した駆動信号によりレーザー光源を間欠的に点灯してレーザービームを光情報記録媒体に照射し、前記光情報記録媒体に記録されたデータを再生する光情報再生装置において、
緩和振動成分を除いた前記レーザービームのピークパワーが前記光情報記録媒体に記録したデータの消去に必要なパワーを越えないように、前記レーザービームのパワーが設定された
ことを特徴とする光情報再生装置。
【請求項２】
前記レーザービームの平均パワーが前記消去に必要なパワーの１／２より小さな値に設定され、
前記レーザービームのパワーに換算した前記高周波信号の振幅が、前記平均パワーの２倍より大きなパワーであり、前記消去に必要なパワーから前記平均パワーを減算したパワーの２倍より小さなパワーである
ことを特徴とする請求項１に記載の光情報再生装置。
【請求項３】
前記光情報記録媒体を交換可能に保持し、
前記光情報記録媒体に応じて、前記レーザービームのパワーを設定する
ことを特徴とする請求項１に記載の光情報再生装置。
【請求項４】
前記光情報記録媒体に記録された基準のパワーに従って、前記レーザービームのパワーを設定する
ことを特徴とする請求項３に記載の光情報再生装置。
【請求項５】
前記光情報記録媒体の再生結果に基づいて、前記レーザービームのパワーを設定する
ことを特徴とする請求項３に記載の光情報再生装置。
【請求項６】
高周波信号を重畳した駆動信号によりレーザー光源を間欠的に点灯してレーザービームを光情報記録媒体に照射し、前記光情報記録媒体に記録されたデータを再生する光情報再生装置の光量設定方法において、
緩和振動成分を除いた前記レーザービームのピークパワーが前記光情報記録媒体に記録したデータの消去に必要なパワーを越えないように、前記レーザービームのパワーを設定する
ことを特徴とする光情報再生装置の光量設定方法
【請求項７】
前記レーザービームの平均パワーを前記消去に必要なパワーの１／２より小さな値に設定し、
前記レーザービームのパワーに換算した前記高周波信号の振幅が、前記平均パワーの２倍より大きなパワーであり、前記消去に必要なパワーから前記平均パワーを減算したパワーの２倍より小さなパワーに設定する
ことを特徴とする請求項６に記載の光情報再生装置の光量設定方法。
【請求項８】
前記光情報記録媒体に応じて、前記レーザービームのパワーを設定する
ことを特徴とする請求項６に記載の光情報再生装置の光量設定方法。
【請求項９】
前記光情報記録媒体に記録された基準のパワーに従って、前記レーザービームのパワーを設定する
ことを特徴とする請求項８に記載の光情報再生装置の光量設定方法。
【請求項１０】
前記光情報記録媒体の再生結果に基づいて、前記レーザービームのパワーを設定する
ことを特徴とする請求項８に記載の光情報再生装置の光量設定方法。
【発明の詳細な説明】
【０００１】
【発明の属する技術分野】
本発明は、光情報再生装置及び光情報再生装置の光量設定方法に関し、例えば相変化型の光ディスクをアクセスする光ディスク装置に適用することができる。本発明は、緩和振動成分を除いたレーザービームのピークパワーが消去に必要なパワーを越えないようにレーザービームのパワーを設定することにより、高周波信号を重畳してレーザーダイオードを駆動する場合に、この駆動の条件を簡易かつ確実に選定することができるようにする。
【０００２】
【従来の技術】
従来、相変化型の光ディスクをアクセスする光ディスク装置においては、再生時、高周波正弦波信号を重畳してレーザーダイオードを駆動することにより、レーザーダイオードを間欠的に点灯し、レーザービームのノイズの混入による再生信号のＳＮ比の劣化を有効に回避するようになされている。
【０００３】
しかしながらこのようにして高周波正弦波信号を重畳して駆動する場合にあっては、消去のパワーに比して平均パワーが充分に小さな場合でも、記録密度を増大した場合に光ディスクに記録された情報の一部が消去される場合がある。因みに、この情報の消去は、再生時、ジッタの増大として観察される。
【０００４】
このためこの種の光ディスク装置においては、設計時、駆動信号の直流レベル、高周波正弦波信号の振幅を種々に変更して最適な条件が求められ、この最適な条件によりレーザービームを照射するようになされている。
【０００５】
【発明が解決しようとする課題】
ところでこれら駆動信号の直流レベル、高周波正弦波信号の振幅による駆動の条件を簡易に選定することができれば、その分、設計作業を簡略化することができる。また特性の異なる光ディスクに対しても適切に対応することができると考えられる。
【０００６】
本発明は以上の点を考慮してなされたもので、再生時、高周波信号を重畳してレーザーダイオードを駆動する場合に、駆動の条件を簡易かつ確実に選定することができる光情報再生装置及び光情報再生装置の光量制御方法を提案しようとするものである。
【０００７】
【課題を解決するための手段】
かかる課題を解決するため請求項１又は請求項６の発明においては、緩和振動成分を除いたレーザービームのピークパワーが光記録媒体に記録したデータの消去に必要なパワーを越えないようにレーザービームのパワーが設定されてなるようにする。
【０００８】
レーザービームの緩和振動成分にあっては、波長の分散が大きく、光情報記録媒体に集光して加熱の効果が小さい。これにより緩和振動成分を除いたレーザービームのピークパワーが光情報記録媒体に記録したデータの消去に必要なパワーを越えないようにレーザービームのパワーを設定すれば、簡易かつ確実に駆動の条件を設定することができる。
【０００９】
【発明の実施の形態】
以下、適宜図面を参照しながら本発明の実施の形態を詳述する。
【００１０】
（１）実施の第１の形態の構成
（１−１）第１の実施の形態
図２は、本発明の第１の実施の形態に係る光ディスク装置の要部を示すブロック図である。この光ディスク装置１においては、光ディスク２に所望のデータを記録し、またこの光ディスク２に記録されたデータを再生して出力する。
【００１１】
ここで光ディスク２は、相変化型の光ディスクであり、スピンドルモータ３により所定の回転速度で回転駆動される。光ピックアップ４は、この光ディスク２にレーザービームを照射し、その戻り光を受光することにより、光ディスク２に形成されたマーク列に応じて信号レベルが変化する再生信号ＲＦを生成して出力する。また光ディスク２に照射するレーザービームＬ１のパワーを間欠的に立ち上げ、これにより所望のデータを熱記録する。
【００１２】
すなわち光ピックアップ４において、半導体レーザーダイオード５は、駆動信号ＳＤにより駆動されてレーザービームＬ１を出射し、続くコリメータレンズ６は、このレーザービームＬ１を略平行光線に変換してビームスプリッタ７に出射する。ビームスプリッタ７は、このレーザービームＬ１を反射及び透過することにより、２つの光束に分離し、リレーレンズ８は、ビームスプリッタ７を透過したレーザービームＬ１を受光素子９に集光する。これにより光ピックアップ４においては、受光素子９の受光結果によりレーザービームＬ１のパワーを検出できるようになされている。
【００１３】
さらに光ピックアップ４において、対物レンズ１０は、ビームスプリッタ７で反射したレーザービームＬ１を光ディスク２の情報記録面に集光し、またその結果光ディスク２より得られる戻り光Ｌ２をビームスプリッタ７に導く。リレーレンズ１１は、ビームスプリッタ７を透過した戻り光Ｌ２を受光素子１２に集光すし、これにより光ピックアップ４においては、この受光素子１２の受光結果に基づいて光ディスク２に記録された情報を再生できるようになされている。
【００１４】
なお光ピックアップ４においては、この図２に示す光学系の構成に加えて、トラッキングエラー信号及びフォーカスエラー信号の検出系を有し、これらの検出系で検出されたトラッキングエラー信号及びフォーカスエラー信号に基づいて対物レンズ１０がトラッキング制御されるようになされている。
【００１５】
光ディスク装置１においては、受光素子１２の受光結果より再生信号ＲＦが生成され、増幅回路１４は、この再生信号ＲＦを所定利得で増幅して出力する。再生信号処理回路１５は、この再生信号ＲＦを２値識別して再生データＤ１を得、この再生データＤ１を誤り訂正処理等してコントローラ１６に出力する。これにより光ディスク装置１では、このコントローラ１６を介して光ディスク２より再生したデータＤ１をホスト装置に出力できるようになされている。
【００１６】
電流電圧変換回路（Ｉ−Ｖ）１９は、受光素子９の受光結果を電流電圧変換処理し、これによりレーザービームＬ１のパワーに応じて信号レベルが変化するモニタ信号ＳＭを生成する。
【００１７】
自動光量制御回路（ＡＰＣ）２０は、このモニタ信号ＳＭの直流レベルと所定の基準レベルとの比較結果に基づいてドライブ２１に制御信号を出力することにより、半導体レーザーダイオード５の温度変化に伴うレーザービームＬ１のパワー変化を防止する。この処理において自動光量制御回路２０は、再生時、モニタ信号ＳＭの直流レベルがコントローラ１６より指示される直流レベルＤＣとなるように制御信号を出力することにより、レーザービームＬ１の平均パワーがこの直流レベルＤＣで決まるパワーとなるように制御信号を出力する。また記録時、コントローラ１６から出力される記録データＤ２に応じた記録信号ＲＥＣにより、ドライブ２１に出力する制御信号の信号レベルを切り換える。
【００１８】
ドライブ２１は、この自動光量制御回路２０より出力される制御信号により半導体レーザーダイオード５を駆動する駆動信号ＳＤを生成し、これにより記録時、記録信号ＲＥＣに応じて間欠的にレーザービームＬ１のパワーを立ち上げる。
【００１９】
発振回路（ＯＳＣ）２３は、所定周波数の高周波正弦波信号Ｓ１を生成し、再生時、この高周波正弦波信号Ｓ１を駆動信号ＳＤに重畳する。これにより光ディスク装置１においては、再生時、半導体レーザーダイオード５を間欠的に点灯し、レーザービームＬ１のノイズの混入による再生信号ＲＦのＳＮ比の劣化を有効に回避するようになされている。発振回路２３は、この高周波正弦波信号Ｓ１をコントローラ１６より指示される振幅値ＡＭＰにより出力する。これらにより光ディスク装置１においては、再生時、コントローラ１６により指示される直流レベルＤＣであって、コントローラ１６により指示される振幅ＡＭＰによる高周波正弦波信号Ｓ１を重畳してなる駆動信号ＳＤにより半導体レーザーダイオード５を駆動するようになされている。
【００２０】
コントローラ１６は、この光ディスク装置１全体の動作を制御するマイクロコンピュータであり、ホストからの制御により、ホストより出力されるデータＤ２を光ディスク２に記録するように、また光ディスク２に記録されたデータＤ１を再生するように、全体の動作を制御する。この制御において、コントローラ１６は、再生時、自動光量制御回路２０及び発振回路２３の動作を制御し、これにより事前に設定された条件により、駆動信号ＳＤの直流レベルＤＣを設定し、またこの駆動信号ＳＤに重畳する高周波正弦波信号Ｓ１の振幅ＡＭＰを設定する。
【００２１】
コントローラ１６において、駆動信号ＳＤの直流レベルＤＣにあっては、レーザービームＬ１の平均値パワーＰｒが消去パワーの下限値Ｐｅに対して、次式の関係式を満足するように設定される。
【００２２】
【数１】
0004051590.tif 000002
【００２３】
なおここで消去パワーは、光ディスク２に形成したマーク列の消去に必要とされるレーザービームＬ１のパワーである。この光ディスク２は、消去パワーを種々に変化させてレーザービームＬ１を照射した後、再生すると、図３に示すようなジッタ量により再生信号ＲＦが検出される。なおこの図３に示す特性においては、線速度４．８〔ｍ／ｓｅｃ〕によりレーザービームＬ１を照射した場合であり、１回目、２回目等の記述は、それぞれ記録消去を繰り返した際の何回目の特性であるかを示すものである。
【００２４】
この種の光ディスク２においては、記録されたマークが充分に消去されないと、続く記録再生時、ジッタが観察されることになり、この実施の形態においては、矢印により示す約４〔ｍＷ〕を消去パワーの下限値Ｐｅに設定した。
【００２５】
これに対して高周波正弦波信号Ｓ１の振幅ＡＭＰにあっては、レーザービームＬ１のパワーに換算した振幅ＭＯＤが次式の関係式を満足するように設定される。なおこの実施の形態では、半導体レーザーダイオード５が発振を開始するしきい値電圧ＴＨ以下であっても、しきい値電圧ＴＨ以上の場合と同様に、駆動信号ＳＤの信号レベルに応じてレーザービームＬ１のパワーが変化するとして、高周波正弦波信号Ｓ１の振幅ＡＭＰをレーザービームＬ１のパワーに換算する。
【数２】
0004051590.tif 000003
【００２６】
すなわち高周波正弦波信号Ｓ１にあっては、レーザービームＬ１のパワーに換算した振幅ＭＯＤが、平均値パワーＰｒの２倍より大きなパワーであり、また消去に必要なパワーＰｅから平均値パワーＰｒを減算したパワーの２倍より小さなパワーであるように設定される。
【００２７】
これらによりコントローラ１６においては、図１に高周波正弦波信号Ｓ１が重畳されてなる駆動信号ＳＤをレーザービームＬ１のパワーとの関係により示すように、レーザービームＬ１の平均値パワーＰｒについては、消去パワーの下限値Ｐｅの１／２より小さなパワーとなるように駆動信号ＳＤを設定して、高周波正弦波信号Ｓ１により駆動信号ＳＤの信号レベルが発振開始のしきい値電圧ＴＨ（この実施の形態では、便宜的に、０〔Ｖ〕に設定されていることになる）を横切るようになっても、ピーク側においては、消去パワーの下限値Ｐｅまでの間で余裕を確保できるようになされている。
【００２８】
また高周波正弦波信号Ｓ１の振幅にあっては、緩和振動成分を除いて検出される光量変化の振幅ＭＯＤにおいて、レーザービームＬ１のパワーが消去パワーの下限値Ｐｅを越えないようにし、かつボトム側では発振開始のしきい値電圧ＴＨを横切るようにする。なおこの図１（Ａ）及び（Ｂ）においては、（１）式及び（２）式により設定される条件により高周波正弦波信号Ｓ１の振幅を最も大きくした場合と、最も小さくした場合とである。この実施の形態では、これらの条件を満足するように設定して、図３において符号Ｐｍａｘにより示すように、緩和成分を除いて検出されるレーザービームＬ１のピークパワーが約３．８〔ｍＷ〕になるようになされている。
【００２９】
ここで緩和振動成分とは、半導体レーザーダイオードが発振を開始した直後に出射されるマルチモードによる成分である。すなわち半導体レーザーダイオードにおいては、駆動信号の信号レベルが発振開始のしきい値を越えて立ち上がると発振を開始し、この発振開始直後より所定時間経過して誘導放出の機構が確立されると考えられる。緩和振動成分とは、このような発振開始直後より誘導放出の機構が確立されるまでの間で出射される成分であり、この成分にあっては、波長の分散が激しいことにより、この成分を取り除いた誘導放出によるコヒーレンシーな成分に比して光ディスク２の加熱に寄与する割合が著しく少ないことが判った。
【００３０】
すなわち図４〜図６に示すように、駆動信号の平均レベルを固定した状態で、高周波正弦波信号Ｓ１の周波数を順次段階的に変化させて再生信号ＲＦのジッタ量を測定した結果によれば、ジッタ量は、殆ど周波数により変化しないことが判った。ここで図４は、高周波正弦波信号Ｓ１の周波数が２７０〔ＭＨｚ〕の場合であり、図５は、高周波正弦波信号Ｓ１の周波数が２２０〔ＭＨｚ〕の場合であり、図６は、高周波正弦波信号Ｓ１の周波数が１７０〔ＭＨｚ〕の場合である。これらは何れも、書き込み後、２分経過して再生したものであり、横軸は、レーザービームＬ１の平均値パワーである。
【００３１】
これらの図４〜図６の条件において、同一の平均値パワーにおけるレーザービームＬ１のパワーをモニタ信号ＳＭの信号波形により示すと、図７〜図９に示すように、正弦波高周波信号Ｓ１の信号レベルがしきい値電圧を越えると、レーザービームＬ１の出力が開始され、その後、正弦波高周波信号Ｓ１の信号レベルに応じてパワーが変化してなる状態が形成される。なおこれら図７〜図９に示す信号波形は、それぞれ図４〜図６に示す平均値パワー１．４〔ｍＷ〕時におけるものであり、高周波正弦波信号Ｓ１の周波数が２７０〔ＭＨｚ〕の場合（図７）においては、周波数が高いことにより緩和振動成分と他の部分との識別は困難であるものの、高周波正弦波信号Ｓ１の周波数が低い場合（図８及び図９）には、これら緩和振動成分と他の部分との関係を見て取ることができる。
【００３２】
これら緩和振動成分と他の部分（以下、誘導放出成分と呼ぶ）とを分離して図７〜図９に示した信号波形を解析すると、図７〜図９との対比により図１０〜図１２のように表され、これらの誘導放出成分を纏めて示すと、図１３に示すように表される。なおこの図１３においては、それぞれ高周波正弦波信号Ｓ１の周波数により各誘導放出成分のピーク成分を示す。
【００３３】
これらにより消去のパワーＰｅに比して平均パワーが充分に小さな場合であっても、高周波正弦波信号Ｓ１により再生して記録済データが消去されるのは、これら誘導放出成分によるピークパワーが消去のパワーＰｅを越えることにより、発生することが判った。なお図１３に示すように、高周波正弦波信号Ｓ１の周波数を変化させても、誘導放出によるピークパワーは大きく変化せず、また再生信号ＲＦに含まれるジッタ量も殆ど変化しない。
【００３４】
これらによりコントローラ１６においては、このように高周波正弦波信号Ｓ１の周波数を低下させて検出される誘導放出成分によるピークパワーが消去パワーＰｅを越えないように、また高周波正弦波信号Ｓ１により半導体レーザーダイオード５が間欠的に点灯するように、設計の時の条件出しにより駆動信号ＳＤの直流レベルＤＣ、高周波正弦波信号Ｓ１の振幅値ＡＭＰが設定され、この設定された駆動信号ＳＤの直流レベルＤＣ、高周波正弦波信号Ｓ１の振幅値ＡＭＰをそれぞれ自動光量制御回路２０及び発振回路２３に指示するようになされている。
【００３５】
（１−２）第１の実施の形態の動作
以上の構成において、この光ディスク装置１は（図２）、半導体レーザーダイオード５より出射されるレーザービームＬ１のパワーが自動光量制御回路２０の制御により記録信号ＲＥＣに応じて間欠的に立ち上げられ、このレーザービームＬ１がビームスプリッタ７、対物レンズ１０を介して光ディスク２の情報記録面に集光される。これにより光ディスク装置１では、光ディスク２の情報記録面を局所的に加熱して情報記録面を構成する相変化膜を変化させ、ホストより出力されるデータＤ２が光ディスク２に記録される。
【００３６】
これに対して再生時、ドライブ２１より出力される駆動信号ＳＤに発振回路２３より出力される高周波正弦波信号Ｓ１が重畳され、この高周波正弦波信号Ｓ１が重畳されてなる駆動信号ＳＤにより半導体レーザーダイオード５が駆動される。これにより半導体レーザーダイオード５が高周波正弦波信号Ｓ１の周期により間欠的に点灯してレーザービームＬ１が出射され、このレーザービームＬ１が光ディスク２の情報記録面に集光される。さらに光ディスク２より得られる戻り光が対物レンズ１０、ビームスプリッタ７、リレーレンズ１１により受光素子１２に導かれ、この受光素子１２の受光結果が再生信号処理回路１５により処理されて光ディスク２に記録されたデータＤ１が再生される。
【００３７】
このようにして光ディスク２に照射されるレーザービームＬ１においては、設計の時の条件出しにより、緩和振動成分を除いたレーザービームＬ１のピークパワーがデータの消去に必要なパワーＰｅを越えないように、また高周波正弦波信号Ｓ１の周期により間欠的にレーザービームＬ１を点灯可能に、駆動信号ＳＤの直流レベルＤＣ、高周波正弦波信号Ｓ１の振幅ＡＭＰが検出され、この検出された直流レベルＤＣ、振幅ＡＭＰによりそれぞれドライブ２１及び発振回路２３より駆動信号ＳＤ及び高周波正弦波信号Ｓ１が出力される。
【００３８】
これにより光ディスク装置１においては、消去のパワーに比して平均パワーが充分に小さな場合であっても、加熱の効果が小さな緩和振動成分を除いた、実際に光ディスク２の加熱に供するレーザービームＬ１のパワーがデータの消去に必要なパワーＰｅを越えないように設定されて、光ディスク２に記録されたデータを安定かつ確実に再生することが可能となる。
【００３９】
また（１）式及び（２）式について上述したように、この条件の設定においては、緩和振動成分を除いた、実際に光ディスク２の加熱に供するレーザービームＬ１のパワーをデータの消去に必要なパワーＰｅを越えないように設定するだけの作業で良いことにより、その分、駆動の条件を簡易かつ確実に選定することができる。
【００４０】
より具体的には、レーザービームＬ１の平均値パワーを消去に必要なパワーの１／２より小さな値に設定し、またレーザービームＬ１のパワーに換算した高周波正弦波信号Ｓ１の振幅ＡＭＰが平均値パワーの２倍より大きなパワーであり、また消去に必要なパワーから平均値パワーを減算したパワーの２倍より小さなパワーであるように設定して、緩和振動成分を除いたレーザービームＬ１のパワーがデータの消去に必要なパワーＰｅを越えないように設定され、これにより駆動の条件を簡易かつ確実に選定することができる。
【００４１】
（１−３）第１の実施の形態の効果
以上の構成によれば、緩和振動成分を除いたレーザービームＬ１のピークパワーがデータの消去に必要なパワーＰｅを越えないように設定することにより、高周波信号を重畳してレーザーダイオードを駆動する場合に、この駆動の条件を簡易かつ確実に選定することができる。
【００４２】
さらにレーザービームＬ１の平均値パワーを消去に必要なパワーの１／２より小さな値に設定し、レーザービームＬ１のパワーに換算した高周波正弦波信号Ｓ１の振幅ＡＭＰが、平均値パワーの２倍より大きなパワーであり、また消去に必要なパワーから平均値パワーを減算したパワーの２倍より小さなパワーであるように設定することにより、簡易かつ確実に緩和振動成分を除いたレーザービームＬ１のピークパワーがデータの消去に必要なパワーＰｅを越えないように設定することができる。
【００４３】
（２）第２の実施の形態
この第２の実施の形態に係る光ディスク装置においては、光ディスクに応じて上述した駆動の条件を最適化する。なおこの光ディスク装置においては、光ディスク３２等の一部の構成が異なる点を除いて、第１の実施の形態について上述した光ディスク装置１と同一の構成であることにより、図２においてこの実施の形態に係る光ディスク装置３１に特有の構成を括弧書により示して説明する。
【００４４】
この実施の形態に係る光ディスク装置３１に適用される光ディスク３２は、相変化の光ディスクであり、最内周のリードインエリアに消去パワーＰｅが基準のパワーとして記録されるようになされている。
【００４５】
光ディスク装置３１において、コントローラ３６においては、光ディスク３２が装填されると、図１４に示す処理手順を実行することにより、この光ディスク３２の最内周に記録された消去パワーＰｅに従って、駆動信号ＳＤの直流レベルＤＣ、高周波正弦波信号Ｓ１の振幅ＡＭＰを最適化する。
【００４６】
すなわちコントローラ３６は、ステップＳＰ１からステップＳＰ２に移り、光ディスク２のリードインエリアに記録された光ディスク２の識別情報等と共に、消去パワーＰｅを検出する。
【００４７】
続いてコントローラ３６は、ステップＳＰ３に移り、発振回路２３に高周波正弦波信号Ｓ１の周波数ＦＲＱの低下を指示する。ここでコントローラ３６は、図９に示したように、モニタ信号ＳＭにより検出されるレーザービームＬ１の光量の変化において、緩和振動成分によるピークパワーと誘導放出成分によるピークパワーとが充分に分離されて、ピークホールド等の手法により誘導放出成分によるピークパワーを確実に検出可能な程度に、高周波正弦波信号Ｓ１の周波数ＦＲＱの低下を指示する。
【００４８】
さらにコントローラ３６は、光ディスク３２に形成された試し書き領域に所定の試し書きデータを記録した後、この発振回路２３に指示した条件により試し書きしたデータを再生する。なおここでこの試し書きデータの再生時においては、光ディスク３２より再生した消去パワーＰｅに基づいて、事前に設定された標準再生の直流レベルＤＣ、振幅ＡＭＰを補正し、この補正した直流レベルＤＣ、振幅ＡＭＰを基準にして試し書きデータの再生を指示する。
【００４９】
続いてコントローラ３６は、ステップＳＰ４に移り、電流電圧変換回路１９より出力されるモニタ信号ＳＭをピークホールドして取り込むことにより、誘導放出成分によるピークパワーを検出する。続いてコントローラ３６は、ステップＳＰ５に移り、この検出したピークパワーを基準にして（１）式及び（２）式の条件を満足するように、試し書きデータの再生時に仮設定した直流レベルＤＣ、振幅ＡＭＰを補正し、再生時における直流レベルＤＣ、振幅ＡＭＰを決定する。
【００５０】
このようにして直流レベルＤＣ、振幅ＡＭＰを決定すると、コントローラ３６は、ステップＳＰ６に移って、この処理手順を終了し、ホストからの指示により光ディスク３２に記録されたデータを再生する場合、この決定した条件による再生を各回路ブロックに指示する。
【００５１】
この実施の形態によれば、緩和振動成分を除いたレーザービームＬ１のピークパワーがデータの消去に必要なパワーＰｅを越えないように、光ディスクに応じて駆動の条件を設定することにより、簡易かつ確実な条件設定作業により光ディスクに応じて適切に再生の条件を設定することができ、その分、簡易かつ確実に種々の情報記録膜の特性による光ディスクに対応することができる。
【００５２】
このとき光ディスク３２に記録された基準のパワーに従って、レーザービームのパワーを設定することにより、簡易に再生の条件を設定することができる。
【００５３】
さらに光ディスクの再生結果に基づいて、レーザービームのパワーを最終的に設定することにより、確実にジッタを低減して所望のデータを安定に再生することができる。
【００５４】
（３）他の実施の形態
なお上述の第２の実施の形態においては、試し書きしたデータの再生結果に基づいて、レーザービームのパワーを最終的に設定する場合について述べたが、本発明はこれに限らず、実用上充分な特性を得ることができる場合、単に光ディスク３２に記録された基準のパワーに従って、レーザービームのパワーを設定するようにしてもよい。またこれとは逆に、試し書きしたデータの再生結果だけで実用上充分な特性を得ることができる場合、光ディスクからの基準パワーの取得を省略して、試し書きしたデータの再生結果だけで駆動の条件を設定する場合等、種々の駆動の条件設定方法を広く適用することができる。
【００５５】
また上述の実施の形態においては、ピークの時間差により緩和振動成分を除いたピークパワーを検出する場合について述べたが、本発明はこれに限らず、例えば誘導放出成分にあっては高周波正弦波信号の周波数成分であることにより光量の検出結果を帯域制限して誘導放出成分のピークパワーを検出する場合等、種々のピークパワー検出手法を広く適用することができる。
【００５６】
さらに上述の実施の形態においては、相変化型の光ディスクに記録されたデータを再生する場合について述べたが、本発明はこれに限らず、必要に応じて光磁気ディスクに記録されたデータを再生する場合等に適用することもできる。
【００５７】
また上述の実施の形態においては、本発明を光ディスク装置に適用する場合について述べたが、本発明はこれに限らず、光ディスクと同様の構造の情報記録面を有するカード状記録媒体等、レーザービームの照射により記録されたデータを再生することができる光情報記録媒体の再生装置である光情報再生装置に広く適用することができる。
【発明の効果】
上述のように本発明によれば、緩和振動成分を除いたレーザービームのピークパワーが消去に必要なパワーを越えないようにレーザービームのパワーを設定することにより、高周波信号を重畳してレーザーダイオードを駆動する場合に、この駆動の条件を簡易かつ確実に選定することができる。
【図面の簡単な説明】
【図１】本発明の第１の実施の形態に係る光ディスク装置において、半導体レーザーダイオードの駆動条件の説明に供する信号波形図である。
【図２】図１の駆動条件に係る光ディスク装置を示すブロック図である。
【図３】光ディスクの再生の条件の説明に供する特性曲線図である。
【図４】高周波正弦波信号の周波数を２７０〔ＭＨｚ〕に設定した場合の、レーザービームの平均パワーとジッタ量との関係を示す特性曲線図である。
【図５】高周波正弦波信号の周波数を２２０〔ＭＨｚ〕に設定した場合の、レーザービームの平均パワーとジッタ量との関係を示す特性曲線図である。
【図６】高周波正弦波信号の周波数を１７０〔ＭＨｚ〕に設定した場合の、レーザービームの平均パワーとジッタ量との関係を示す特性曲線図である。
【図７】高周波正弦波信号の周波数を２７０〔ＭＨｚ〕に設定した場合の、レーザービームのパワーの変化を示す信号波形図である。
【図８】高周波正弦波信号の周波数を２２０〔ＭＨｚ〕に設定した場合の、レーザービームのパワーの変化を示す信号波形図である。
【図９】高周波正弦波信号の周波数を１７０〔ＭＨｚ〕に設定した場合の、レーザービームのパワーの変化を示す信号波形図である。
【図１０】図７の信号波形を緩和振動成分とそれ以外の成分とに分離して示す信号波形図である。
【図１１】図８の信号波形を緩和振動成分とそれ以外の成分とに分離して示す信号波形図である。
【図１２】図９の信号波形を緩和振動成分とそれ以外の成分とに分離して示す信号波形図である。
【図１３】図１０、図１１及び図１２に示す信号波形を重ねて示す信号波形図である。
【図１４】第２の実施の形態に係る光ディスクにおけるコントローラの処理手順を示すフローチャートである。
【符号の説明】
１……光ディスク装置、２、３２……光ディスク、５……半導体レーザーダイオード、１６、３６……コントローラ、１９……電流電圧変換回路、２０……自動光量制御回路、２１……ドライブ、２３……発振回路
【図１】
0004051590.tif 000004
【図２】
0004051590.tif 000005
【図３】
0004051590.tif 000006
【図４】
0004051590.tif 000007
【図５】
0004051590.tif 000008
【図６】
0004051590.tif 000009
【図７】
0004051590.tif 000010
【図８】
0004051590.tif 000011
【図９】
0004051590.tif 000012
【図１０】
0004051590.tif 000013
【図１１】
0004051590.tif 000014
【図１２】
0004051590.tif 000015
【図１３】
0004051590.tif 000016
【図１４】
0004051590.tif 000017